(57)【特許請求の範囲】
【請求項１】
シート表面に設けたＶ字状の切り込み筋からなる折り線で二つ折り可能に形成されたプラスチックシートの重合するシート面の対応位置に吊り下げ孔を形成するとともに、当該シート面内に、重合する一方のシート又は両方のシートのシート面を外側へ膨らませた立体的な凹部形状からなる収納凹部を設け、収納凹部内を重合するシート面で閉塞して物品を包装するように設けられていて、シートの側辺及び／又は底辺に破り取り可能な折り線を介して支持片を連設し、この支持片を包装体背面側に折り曲げて起立させた当該包装体が傾斜状態で支持され得るように構成されていることを特徴とする展示包装体。
【請求項２】
両側辺に支持片を連設し、両支持片に互の係合部を設けてなる請求項１に記載の展示包装体。
【請求項３】
側辺と底辺に支持片を連設し、両支持片に互の係合部を設けてなる請求項１に記載の展示包装体。
【請求項４】
底辺に支持片を連設し、この支持片に、当該片を背面側に折り曲げた状態で収納凹部と当接定置可能な当接部を設けてなる請求項１に記載の展示包装体。
【発明の詳細な説明】
【０００１】
【産業上の利用分野】
本発明は、化粧品、文房具や日用品その他店頭で展示販売に供される物品の包装に好適なプラスチックシート製の展示包装体に関する。
【０００２】
【従来の技術】
図９は従来の展示包装体の一例を示し、これは、中央部にドーム型の収納凹部２２を有する透明なプラスチックシート２１と、表面に商品の説明や装飾模様等の印刷を施した台紙２３とを重ね合わせ、接着剤やホッチキス等を用いて両者を止着することにより商品２４を包装するようになっていた。このような展示包装体は、店頭において、その上端部に形成された吊り下げ孔２５を掛止フックに通し、掛止フックに吊り下げて展示し、販売されるようになっていた。
【０００３】
【発明が解決しようとする課題】
従来の展示包装体は、開封後、シート２１と台紙２３とを分離し難く、とりわけ両者を接着剤により接着したときは、台紙２３がシート２１にこびりついたままとなり、シートのリサイクルが不可能であった。そのため、開封後はゴミとなる上記プラスチックシートの再生利用を容易に行い得る包装体が望まれていた。
【０００４】
また、従来のものは店頭で吊り下げる他、展示台やケース等に立て並べて展示することができなかった。この場合、図１０に示す如く、収納凹部２２の下部を深く形成し、包装体を立てたときの底面部の接地面積を大きくすることにより自立させることも可能であるが、包装する商品の種類や大きさ、形状等によってはこのような成形が出来ないこともあり、また、収納凹部２２を深くすると必然的にプラスチックシートの肉厚を厚くしなければならず、製造コストが高くなるという問題点があった。
【０００５】
さらに上記成形を行った場合には、多数個を同一のフックに吊り下げて展示することが出来なくなり、また、意匠的にも劣ったものとなるため、効果的な店頭効果が得られなくなる、という問題点があった。
【０００６】
本発明は、従来の技術の有するこのような問題点に鑑みてなされたものであり、その目的とするところは、使用後、分別することなく再生利用を行えると共に、収納凹部を必要以上に大きくすることなく自立させて展示することができ、且つそのまま掛止フックに吊り下げることもでき、パッケージデザインに優れ、生産性にも優れた展示包装体を提供することにある。
【０００７】
【課題を解決するための手段】
上記課題を解決するため、本発明の展示包装体は、シート表面に設けたＶ字状の切り込み筋からなる折り線で二つ折り可能に形成されたプラスチックシートの重合するシート面の対応位置に吊り下げ孔を形成するとともに、当該シート面内に、重合する一方のシート又は両方のシートのシート面を外側へ膨らませた立体的な凹部形状からなる収納凹部を設け、収納凹部内を重合するシート面で閉塞して物品を包装するように設けられていて、シート側辺及び／又は底辺に破り取り可能な折り線を介して支持片を連設し、この支持片を包装体背面側に折り曲げて起立させた当該包装体が傾斜状態で支持され得るように構成したことを特徴としている。
【０００８】
支持片は、シートの両側辺にそれぞれ設け、当該両片に互の係合部を形成することが好ましい。
【０００９】
また、支持片は、シートの側辺と底辺にそれぞれ設け、当該両片に互の係合部を形成することが好ましい。
【００１０】
さらに、支持片は、シートの底辺に設け、当該片を背面側に折り曲げた状態で収納凹部と当接定置可能な当接部を有して形成することが好ましい。
【００１１】
【作用】
収納凹部に収納した商品をシートを二つ折りして包装し、支持片を包装体の背面側に折り曲げ、その下端部を載置面に当接させて包装体を自立させる。
使用後、包装体は、そのまま再生利用に供することができる。
【００１２】
【実施例】
以下、本発明の好適な実施例を図面を参照して説明する。
図１は本発明の第１実施例の展示包装体の展開図及び使用時の側面図、図２は折れ曲がりやすく成形した支持片の拡大図、図３は第２実施例の展開図及び使用時の側面図、図４は第３実施例の展開図、図５は第４実施例の展開図及び使用時の背面側要部斜視図、図６は第５実施例の展開図，側面図及び使用時の側面図、図７は第６実施例の展開図及び使用時の側面図、図８は第７実施例の展開図及び使用時の側面図である。
【００１３】
図１に示す第１実施例の展示包装体１は、透明或いは着色された半透明なプラスチックシート単体を真空・圧空成形或いは加熱成形などして、表板２と裏板３との間の位置に折り線４を形成し、両板２，３がフラット状に開き、且つ重合して閉じることが可能なように一体に形成されている。
表板２は、適宜形状例えば略矩形のシート面２ａの中央部に、包装すべき商品の輪郭形状、或いは包覆形状に縁取られた適宜深さの収納凹部５を設けると共に、その側辺の下部に三角形型の側辺支持片６を折り線７を介して連設し、シート面２ａの側縁部には嵌合凹部２ｂ，２ｃを、シート面２ａの上端部には吊り下げ孔２ｄをそれぞれ設けて形成してある。
裏板３は、シート面３ａ内に、上記嵌合凹部２ｂ，２ｃに嵌合可能な嵌合凸部３ｂ，３ｃと、吊り下げ孔２ｄと重合する吊り下げ孔３ｄをそれぞれ対応位置に設けて形成してある。
【００１４】
プラスチックシートは、ポリ塩化ビニル、ポリプロピレン、ポリスチレン、非晶質ポリエチレンテレフタレートなどの熱可塑性プラスチック等からなる適度な強度を有するシートが好適に使用でき、これらの単体シート、或いは上記シートとプラスチックフィルムとのラミネートシートなどを用いることができる。また、シート表面には、商品の説明や装飾模様等を適宜な方法で印刷表示することができる。
【００１５】
折り線４は、Ｖ字状の切り込み筋をシート表面に形成し、或いはミシン目を形成するなどして、容易に折り曲げ可能で、而も折り曲げたときに厚みが生ずることなくすっきりと仕上がり、弾性による戻りも小さい構造としてある。
【００１６】
また、側辺支持片６の折り線７は、上記折り線４と同様に形成する他、図２に示すように、表板１との境界上に適宜形状の小孔７ａを列設させ、側辺支持片６を利用しないときに、これを包装体１から簡単に破り取れるような構造としてもよい。
【００１７】
本実施例は以上のように構成してあるので、表板２の収納凹部５に商品を収納し、裏板３を折り線４を軸に折り曲げて表板１に被せれば、上下の嵌合凹凸部がそれぞれ嵌合して両シート面２ａ，３ａが互いに密接に重合し、且つシート面３ａで収納凹部５を閉塞して商品を包装する。
【００１８】
かかる状態において、側辺支持片６を折り線７を軸に裏板３側、即ち包装体１の背面側に折り曲げれば、同図（Ｂ）に示すように、包装体１を平面上に載置したときに、側辺支持片６の下端部が載置面に当接して起立させた包装体１の背面を傾斜状態で支持し、包装体１を自立させることができる。一方、吊り下げ孔２ｄ，３ｄを掛止フックに通せば、包装体１をそのまま吊り下げることもでき、店頭での展示スペースや販売方法等に応じた展示販売を行なうことができる。
【００１９】
また、包装体１全体がプラスチックシートのみで形成されているので、開封後、不要になったシートを回収し、分別することなく、そのまま再生利用することができ、ゴミの資源化・減量化を図ることができる。
【００２０】
図３に示す第２実施例の展示包装体１は、表板２と裏板３のシート面２ａ，３ａの双方に収納凹部５，５を設け、裏板３の側端部を糊代部３ｅとし、折り線４を軸に重合される表裏両板２，３を糊代片３ｅに塗布した接着剤を介して止着するように形成したものである。
【００２１】
このように、表裏何れの板２，３にも収納凹部５，５を設ければ、比較的厚幅の商品を包装することができる。収納凹部５を表裏いずれかの板側に設けるか、本例のように双方の板側に設けるかは、包装する商品の大きさや形状等に応じて適宜選定することができる。
【００２２】
図４に示す第３実施例の展示包装体１は、表板２と裏板３のシート面２ａ，３ａの双方の側辺下部に側辺支持片６，６を折り線７，７を介して連設すると共に、表板２に連設する支持片６には切り込み６ａを設け、裏板３に連設する支持片６には差し込み片６ｂを延設し、両板２，３を重合したときに、差し込み片６ｂを切り込み６ａに嵌め入れて支持片６，６同士を係合止着し、支持片６，６の曲がり強度を高めて自立した包装体１を、より確実に支持できるように形成したものである。
【００２３】
なお、側辺支持片６の形状，大きさ及び取付け位置は、包装すべき商品の種類や形状、重さ、或いは包装体１を自立させたときの展示商品の見栄えや表示の見やすさ等を勘案して適宜選定することができる。
【００２４】
図５に示す第４実施例の展示包装体１は、表板２の側辺下部に側辺支持片６を連設し、表板２の下辺に適宜長さの下辺支持片８を折り線９を介して連設し、側辺支持片６には切り込み６ａを設け、下辺支持片８には側端部に差し込み片８ａを延設し、両板２，３を折り線４を軸に重合し、支持片６及び支持片８を背面側に折り曲げた状態で、差し込み片８ａを切り込み６ａに嵌め入れて両片を係合させ、同図（Ｂ）に示すように、支持片６と支持片８を載置面に当接させて包装体１を支持するように形成したものである。両支持片５，８は、前記の如く、包装体１から容易に破り取れるような構造としてもよい。
【００２５】
本例によれば、側辺支持片６及び底辺支持片８を包装体１の背面側で係合状態で固定することができるので、展示中に側辺支持片６が折れ曲がって包装体１が傾斜し過ぎたり倒れたりすることがなく、包装体１の自立耐久性が高まり、所期の自立状態の継続保持が可能となる。
【００２６】
図６に示す第５実施例の展示包装体１は、表裏両板２，３のシート面２ａ，３ａに、当該シート面から傾斜面５ａ，５ａを介して適宜な深さで略角錐台状に凹ませた収納凹部５，５を形成すると共に、裏板３の下辺には適宜な長さを有する略矩形の支持片１０を折り線１１を介して連設し、この支持片１０の平坦面内に、周囲に傾斜面１２ａを有する、裏板３の収納凹部５と略同型の角錐台状の凹部１２を設けて形成してある。
【００２７】
支持片１０は、包装体１を自立させたときの載置面となるものであり、その大きさ（面積）は包装する商品の大きさや形状等に応じ適宜選定することができる。また、支持片１０の凹部１２は、支持片１０を折り曲げて包装体１を起立させたときに、包装体１が傾斜した状態で、当該凹部１２の外面が裏板３の収納凹部５の底面に当接し、支持辺１０が収納凹部５に対して定置し得る適宜な形状で設けることができる。
【００２８】
折り線１１は、Ｖ字状の切り込み筋をシート表面に形成し、或いはミシン目を形成するなどして支持片１０を容易に折り曲げ可能に形成し、また、前記の如く、包装体１から簡単に破り取れるように、複数個の小孔を列設させた構造のものとしてもよい。
【００２９】
なお、表板２と裏板３の止着は、シート面にスポット状又は列状に設けた嵌合凹凸部により、或いは接着剤や接着テープ等の接着手段により適宜行なうことができる。
【００３０】
本実施例は以上のように構成してあるので、収納凹部５を閉塞後、同図（Ｃ）に示すように、支持片１０を包装体１の背面側に折り曲げてこれを載置面に接面させれば、支持片１０の凹部１２が裏板３の収納凹部５の底面と当接して包装体１の背面を傾斜状態で支持し、包装体１を自立させることができる。
【００３１】
図７に示す第６実施例の展示包装体１は、表裏両板２，３のシート面２ａ，３ａの下部に傾斜面５ａ，５ａを有する収納凹部５，５を形成すると共に、表板３の下辺に適宜長さを有する略矩形の支持辺１０を折り線１１を介して、且つ上記収納凹部５の傾斜面５ａの縁部に隣接させて連設し、同図（Ｂ）に示すように、支持片１０を折り曲げて包装体１を起立させたときに、裏板３の収納凹部５の底面が支持辺１０の上面に重ね合わさるように形成したものである。
【００３２】
図８に示す第７実施例の展示包装体１は、表板２のシート面２ａに収納凹部５を形成すると共に、裏板３の下辺に適宜長さを有する略矩形の支持片１０を折り線１１を介して連設し、この支持片１０の平坦面内に山型凹部１３を設け、同図（Ｂ）に示すように、支持辺１０を折り曲げたときに、この山型凹部１３で包装体１の背面を支持するように形成したものである。
【００３３】
なお、上記各実施例において、表裏両板２，３に形成した収納凹部５，５は、何れも包装体１の表面に突出する向きで形成したが、シートを重合したときに両部が凹凸嵌合するように設けてもよい。
【００３４】
【発明の効果】
本発明の展示包装体によれば、プラスチックシートのみで形成されているので、開封して商品を取り出した後、不要になったシートを回収し、分別することなく、そのまま再生利用に供することができ、ゴミの資源化・減量化を図ることができる。
【００３５】
また、シート側辺又は底辺に形成した支持片を背面側に折り曲げることにより包装体を載置面上で安定的に自立させることができ、包装体を支持するために収納凹部を深く形成したりシートの一部に張出部を設けたりする必要がなく、包装体の外観がすっきりしたシャープなものとなり、而もシート肉厚を厚くする必要もないので、生産性にも優れたものとなる。
【００３６】
さらに、シート表面に不要な凸部がないことから、展示包装体を展示のために吊り下げたり、保管のために箱に収納したりしたときに、かさばらず、多数個を同一の掛止フックや箱で取り扱うことができ、展示や保管に利用するスペースの効率的な使用が可能となる。
【００３７】
本発明の展示包装体は、展示台等に立てることも、掛止フックに吊り下げることもできるので、包装する商品の種類や店頭での展示スペース、販売方法等に応じて商品の展示販売を行なうことができ、効果的な店頭効果を発揮することができる。
【図面の簡単な説明】
【図１】本発明の第１実施例の展示包装体を示しており、（Ａ）は展開図、（Ｂ）は使用時の側面図である。
【図２】図１の支持片を折れ曲がりやすく成形したときの要部拡大図である。
【図３】本発明の第２実施例の展示包装体を示しており、（Ａ）は展開図、（Ｂ）は使用時の側面図である。
【図４】本発明の第３実施例の展示包装体の展開図である。
【図５】本発明の第４実施例の展示包装体を示しており、（Ａ）は展開図、（Ｂ）は使用時の背面側要部斜視図である。
【図６】本発明の第５実施例の展示包装体を示しており、（Ａ）は展開図、（Ｂ）は側面図、（Ｃ）は使用時の側面図である。
【図７】本発明の第６実施例の展示包装体を示しており、（Ａ）は展開図、（Ｂ）は使用時の側面図である。
【図８】本発明の第７実施例の展示包装体を示しており、（Ａ）は展開図、（Ｂ）は使用時の側面図である。
【図９】従来の展示包装体の分解斜視図である。
【図１０】従来の他の展示包装体の側面図である。
【符号の説明】
1   展示包装体
2   表板
3   裏板
4   折り線
5   収納凹部
6   側辺支持片
7   折り線
8   底辺支持片
9   折り線
10   支持片
11   折り線
12   凹部
13   山型凹部
【図１】
0003851669.tif 000002
【図２】
0003851669.tif 000003
【図３】
0003851669.tif 000004
【図４】
0003851669.tif 000005
【図５】
0003851669.tif 000006
【図６】
0003851669.tif 000007
【図７】
0003851669.tif 000008
【図８】
0003851669.tif 000009
【図９】
0003851669.tif 000010
【図１０】
0003851669.tif 000011